【事件の表示】
　特願２００５−１９１７０６「薬剤分割包装装置」拒絶査定不服審判事件〔平成１７年１２月　８日出願公開、特開２００５−３３５８１５〕について、次のとおり審決する。
【結　論】
　本件審判の請求は、成り立たない。
【理　由】
第１．手続の経緯
　本願は，平成７年１２月５日に特許出願した特願平０７−３１６７１２号の一部を平成１４年９月３０日に新たな特許出願（特願２００２−２８５６５４号）とし，さらにその一部を平成１７年６月３０日に新たな特許出願としたものであって，平成２１年４月２４日付けで拒絶査定がなされ，これに対し，同年７月２４日に拒絶査定不服審判の請求がなされたものである。
　
第２．原査定
　原査定における拒絶の理由は，以下のとおりのものと認める。
　「この出願の請求項１〜４に係る発明は，その出願前に日本国内又は外国において，頒布された下記１〜４の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。
　１．特開平０７−０６１４０２号公報
　２．実願昭５７−１９２１０４号(実開昭５９−０９６１３７号)のマイクロフィルム
　３．特公昭６０−０５８１３６号公報
　上記刊行物のうち，特公昭６０−０５８１３６号公報及び特開平０７−０６１４０２号公報を，以下，それぞれ「引用例１」及び「引用例２」という。
　
第３．当審の判断
１．本願発明
　本願の請求項１に係る発明（以下，「本願発明」という）は，平成２０年１１月１０日付けで補正された特許請求の範囲の請求項１に記載された事項により特定される，以下のとおりのものである。
　「側板の両端部に端板をそれぞれ固定し，前記側板に対して下縁が接離可能となるように開閉板を設け，該開閉板と側板との間に仕切三角板を設けて，該仕切三角板を前記端板に向かって移動させることにより薬剤の分割数を調整可能としてなるＶ枡と，該Ｖ枡から落下する薬剤を分割して受け止め可能で，開閉可能な底板を有する複数の分割容器と，該分割容器のいずれかの下方で薬剤を受け入れるホッパーを有する包装装置とを備え，前記各分割容器を直線部分と円弧部分とからなるループ状に移動可能な構成とすると共に，そのうちの１つを他よりも幅広に形成し，各分割容器は原点位置に移動した後，幅広に形成された分割容器が前記仕切三角板の位置情報に基づいて，当該仕切三角板の下方に位置決めされるように移動することにより，前記Ｖ枡の直下の直線部分では，隣接する分割容器がＶ枡から落下させた薬剤がこぼれ落ちることを防止可能となるように互いに連続するように並設され，円弧部分では互いに離間するようにしたことを特徴とする薬剤分割包装装置。」
　
２．引用刊行物記載事項
（１）引用例１には，図面とともに次の事項が記載されている。
（１−ａ）
　「実施例の図面について説明すると，１は上面を粉体の供給口２となし下面を開閉自在の落下口３に形成したＶ形樋状のホツパーであつて，供給口２の口縁には分割数目盛４が表示せられている。５はＶ形樋状ホツパー１の可動側側壁に附設せられたレバーであつて，該レバー５の操作によつて落下口３が開閉せられるようになつている。６はＶ形樋状ホツパー１の側壁内面に沿つて摺動自在に嵌装せられた仕切板で，各分割数目盛４………４の表示位置でクリツクストツプし得るようになつている。７は分割数目盛４………４と対向させて仕切板６に附設せられた可動指標である。８はＶ形樋状ホツパー１の落下口３の直下においてその口縁に沿つて横動し得るよう後記底蓋９上に重合させた粉体分割枠であつて，Ｖ形樋状ホツパー１の分割数目盛４………４のピツチに対応させて区画せられた複数の仕切マス１０………１０を連設状に有している。また，各仕切マス１０………１０の開口下面を遮閉する底蓋９の一部には送出口１１を開設することにより，粉体分割枠８の繰出し方向への横動に伴ない端部の仕切マス１０か順次１マスずつ開放されて送出口１１と連通し得るよう構成する。１２は仕切板６の上方部からＶ形樋状ホツパー１の外側へ導出された導出体１３に附設せられたマグネツト，１４は駆動機関１６の指令装置１５に連絡されたセンサーで，前記マグネツト１２の移動に追従して可動指標７の指示する分割数目盛４の位置をキヤツチする。１６は指令装置１５の指示に従い作動する駆動機関であつて，モーター１７の回転が伝導機構１８により水平直進動に変換されて粉体分割枠８に伝達せられるようになつている。」（第２欄２０行〜第３欄２２行）
（１−ｂ）
　「第１図Ａの事例では，粉体分割枠８を繰出し方向に横動させて始端部８ａを仕切板６のクリツクストツプ位置に合致させ，所要数の仕切マス１０………１０内へ粉体を容入させるための準備体制が整えられることになる。
　この準備体制の整えられたことは例えばブザーあるいはパイロツトランプ等によつて表示され，この表示によつて落下口３を開操作すれば，Ｖ形樋状ホツパー１内の粉体は第１図Ｂに見られるよう所定数の仕切マス１０………１０内へ分配される。つまり，第１図Ｂの事例では６個の仕切マスが使用されることになる。上記落下口３の開作動は例えば第２図Ｂに示すようＶ形樋状ホツパー１の可動側側壁１ｍに附設せられたレバー５の回動操作により行われる。
　上記第１図Ｂの状態において起動スイツチを投入する等によりモータ１７を起動させると，伝動機構１８を介して粉体分割枠８が繰出し方向へ左動し，その始端部８ａが送出口１１に接近した位置から間欠送りで６ピツチ左動することになる。そして粉体分割枠８が底蓋９上を左動すれば，第１図Ｃに見られるよう端部の仕切マス１０から順次１ずつ開放されて送出口１１と連通し，各仕切マス１０………１０内の粉体は間欠的に順次送出口１１から送出されて行くが，第１図Ｅのように第６マス目の粉体が送出口１１から送出されたときに粉体分割枠８の左動を停止して，第１図Ｆに見られるように復帰方向へ右動せしめられることになる。粉体分割枠８が右動限へ復帰するとリミツトスイツチＬＳが作動してモータ１７の回転は停止する。」（第３欄４１行〜第４欄２８行）
（１−ｃ）
　「本発明装置は，医薬あるいは調味料などを定量ずつ分割包装させる分包機械の一部を構成するものであり，」（第５欄２５〜２７行）
（１−ｄ）
　第２図のＡ及びＢを参照すると，仕切板６は三角形状に構成されていること，及び可動側側壁１ｍの下縁は対向する側壁に対して接離可能となっていることが読み取れ，また，第１図のＡないしＦを参照すると，粉体分割枠８の始端部８ａに設けられた仕切マス１０は，他の仕切マス１０に比べて，上部が幅広に形成されていることが読み取れる。
　
　上記記載事項（１−ａ）〜（１−ｄ）及び図面の記載を総合すると，引用例１には，次の発明（以下，「引用発明」という。）が記載されているといえる。
　「医薬などを定量ずつ分割包装する分包機械に用いられる粉体の分割送出装置であって，Ｖ形樋状ホッパー１を粉体分割枠８上に横設してなり，Ｖ形樋状ホッパー１は，上面が粉体の供給口２に下面が落下口３に形成され，可動側側壁１ｍに附設されたレバー５の操作によって落下口３が開閉され，側壁内面に沿って摺動自在に嵌装された三角形状の仕切板６が分割数目盛４の各表示位置でクリックストップするように構成され，粉体分割枠８は，底蓋９上に重合され，分割数目盛４のピッチに対応させて区画せられた複数の仕切マス１０を連設状に有し，その始端部８ａに設けられた仕切マスは他の仕切マスよりも上部が幅広に形成され，各仕切マス１０の開口下面を遮閉する底蓋９の一部には送出口１１が開設されているものであり，仕切板６に附設された可動指標７が指示する分割数目盛４の位置情報に基づいて，粉体分割枠８を繰出し方向に横動して始端部８ａを仕切板６のクリックストップ位置に合致させた後，Ｖ形樋状ホッパー１内の粉体を所定数の仕切マス１０内へ分配し，その後，粉体分割枠８を所定ピッチだけ間欠送りして，所定数の仕切マス１０を順次送出口１１と連通させて各仕切マス１０内の粉体を送出し，粉体の送出が完了すると，粉体分割枠８をリミットスイッチＬＳが作動するまで復帰方向へ移動させて，次の分割送出作業に備えるようにした，粉体の分割送出装置。」
　
（２）引用例２には，図面とともに次の事項が記載されている。
（２−ａ）
　「本発明では，散剤収納体および／または錠剤収納体がそれぞれ散剤無端帯および／または錠剤無端帯に支持されて回動駆動されるように構成されているので，これら散剤収納体および／または錠剤収納体を往復移動させるものに比べて分包機の長手方向寸法を短くすることができ，分包数を増やしても装置の全体形状をコンパクトにすることができる。」（段落【０００２】）
　「前記散剤分包ユニット５は，図示されないモーターにより回転駆動される散剤用無端帯としての第１のエンドレスベルト８と，この第１のエンドレスベルト８の周囲にそのエンドレスベルト８の約半周に渡って互いに隣接するように支持される複数個（図の例では２３個）の散剤収納体９とを備えている。」（段落【００１５】）
（２−ｂ）
　「図３，図４に示されているように，各散剤収納体９は，中央部に鉛直方向に設けられる隔壁９ａによって画成される二つの散剤収納室９ｂ，９ｃを有するとともに，下部に各散剤収納室９ｂ，９ｃの一端縁を中心として回動可能な開閉蓋１０，１０を有する形状とされている。ここで，各開閉蓋１０は，常時はマグネット（図示せず）の吸引力によって各散剤収納室９ｂ，９ｃの底部を閉じ，各散剤収納室９ｂ，９ｃが所定の散剤落下位置に達すると一側の係止突片１０ａが蓋開閉機構（図示せず）に係合することにより各散剤収納室９ｂ，９ｃの底部を開放するように作動する。」（段落【００１６】）
（２−ｃ）
　「前記散剤分包ユニット５には，前記上蓋２の前部であって前記散剤収納体９の移送路の上方に位置して散剤供給装置１１が配設されている。この散剤供給装置１１は，機体１の長手方向に延設される鉛直の支持ブロック１２と，この支持ブロック１２の両端部に配設される端板１３，１３と，これら端板１３，１３間に設けられ前記支持ブロック１２とによりＶ形升を形成する開閉板１４と，このＶ形升の内側に設けられ支持ブロック１２および開閉板１４の長手方向に移動自在な仕切板１５とを有する構造とされている。ここで，前記開閉板１４は端板１３，１３にピン１６で連結されて図２で実線位置と二点鎖線位置との間で回動可能とされ，一方の端板１３と仕切板１５および支持ブロック１２と開閉板１４に囲まれるＶ形升内に収納されている散剤は，開閉板１４が二点鎖線位置に回動されることにより下方の散剤収納体９内に落下される。」（段落【００１７】）
（２−ｄ）
　「一方，包装装置７においては，散剤の落下と同じタイミングで包装シートがロール体２４から繰り出され，この包装シートによりホッパーを介して上方から落下してくる散剤を所定位置で受け止めて連続的に包装が行われる。」（段落【００２４】）
（２−ｅ）
　図３を参照すると，エンドレスベルト８に支持される複数の散剤収納体９は，エンドレスベルト８の直線部分では，隣り合う散剤収納体９同士が隙間なく接するように位置し，エンドレスベルト８の円弧部分では，隣り合う散剤収納体９が互いに離れて位置することが読み取れる。
　
３．対比・判断
　本願発明と引用発明とを対比する。
　引用発明の「医薬」，「側壁」，「可動側側壁１ｍ」，「仕切板６」及び「Ｖ形樋状ホッパー１」は，その構成または機能からみて，それぞれ本願発明の「薬剤」，「側板」，「開閉板」，「仕切三角板」及び「Ｖ枡」に相当し，引用発明の「粉体分割枠８」を構成する「仕切マス１０」は，本願発明の「分割容器」に相当する。
　また，引用発明は，仕切板６に附設された可動指標７が指示する分割数目盛４の位置情報に基づいて，粉体分割枠８を繰出し方向に横動して始端部８ａを仕切板６のクリックストップ位置に合致させるものであり，この始端部８ａに設けられた仕切マスは他の仕切マスよりも上部が幅広に形成されるから，本願発明の「幅広に形成された分割容器が仕切三角板の位置情報に基づいて，当該仕切三角板の下方に位置決めされるように移動する」との要件を備え，引用発明は，粉体分割枠８をリミットスイッチＬＳが作動するまで復帰方向へ移動させて，次の分割送出作業に備えるものであるから，本願発明の「各分割容器は原点位置に移動した後，幅広に形成された分割容器が前記仕切三角板の位置情報に基づいて，当該仕切三角板の下方に位置決めされるように移動する」との要件を備える。
　したがって，本願発明と引用発明は，本願発明の表記にしたがえば，
　「側板に対して下縁が接離可能となるように開閉板を設け，該開閉板と側板との間に仕切三角板を設けて，薬剤の分割数を調整可能としてなるＶ枡と，該Ｖ枡から落下する薬剤を分割して受け止め可能な複数の分割容器とを備え，前記各分割容器のうちの１つを他よりも幅広に形成し，各分割容器は原点位置に移動した後，幅広に形成された分割容器が前記仕切三角板の位置情報に基づいて，当該仕切三角板の下方に位置決めされるように移動する薬剤分割包装装置」である点で一致し，次の点で相違する。
［相違点１］
　本願発明のＶ枡は，側板の両端部に端板をそれぞれ固定し，仕切三角板を端板に向かって移動させるものであるのに対して，引用発明のＶ形樋状ホッパー１は，端板を有するか否か明らかではない点。
［相違点２］
　本願発明の分割容器は，開閉可能な底板を有するのに対して，引用発明の仕切マス１０は，下面が開口しており，底板をもたない点。
［相違点３］
　本願発明は，分割容器のいずれかの下方で薬剤を受け入れるホッパーを有する包装装置を備えるのに対して，引用発明は，そのような包装装置を備えるか否か明らかではない点。
［相違点４］
　本願発明は，各分割容器を直線部分と円弧部分とからなるループ状に移動可能な構成とし，Ｖ枡の直下の直線部分では，隣接する分割容器がＶ枡から落下させた薬剤がこぼれ落ちることを防止可能となるように互いに連続するように並設され，円弧部分では互いに離間するようにしたのに対して，引用発明は，粉体分割枠８を横移動（直線往復移動）させる点。
　相違点１について検討する。引用発明のＶ形樋状ホッパー１も，所定量の粉体をこぼれないように収容するためには，側壁の両端部に端板を固定する必要があることは明らかである。したがって，相違点１は，実質的な相違点とはいえない。なお，側板の両端部に端板をそれぞれ固定したＶ枡は，引用例２にも記載されている（記載事項（２−ｃ）参照）。
　相違点２について検討する。引用例２には，散剤収納室９ｂ，９ｃを有する散剤収納体９の下部に開閉蓋１０を設け，散剤収納室９ｂ，９ｃが所定の散剤落下位置に達すると底部を開放することが記載されており（記載事項（２−ｂ）参照），この「散剤収納室９ｂ，９ｃ」は，本願発明の「分割容器」に相当する。引用発明は，粉体分割枠８の仕切マス１０が，その下面を遮蔽されつつ底蓋９上を移動し，底蓋９に開設された送出口１１に対応する位置に来たときにその下面が開放されるようにしたものであるが，このような手法で仕切マス１０の下面を開閉する代わりに，仕切マス１０に開閉可能な底板を設けること，すなわち相違点２は，引用例２を参酌することにより，当業者が容易に想到し得たことである。
　相違点３について検討する。引用発明は，医薬などを定量ずつ分割包装する分包機械に用いられるものであるから，送出口１０から送出される粉体は包装装置によって包装されることは明らかである。したがって，相違点３は，実質的な相違点とはいえない。なお，分割容器の下方で薬剤を受け入れるホッパーを有する包装装置を設けることは，引用例２にも記載されている（記載事項（２−ｄ）参照）。
　相違点４について検討する。引用例２には，複数の散剤収納体９をエンドレスベルト８の周囲に約半周に渡って互いに隣接するように支持し，散剤収納体を往復移動させるものに比べて分包機の長手方向寸法を短くできるようにすることが記載されている（記載事項（２−ａ）参照）。そして，この散剤収納体９は，エンドレスベルト８の直線部分では，隣り合う散剤収納体９同士が隙間なく接するように位置し，エンドレスベルト８の円弧部分では，隣り合う散剤収納体９が互いに離れて位置する（記載事項（２−ｅ）参照）。引用発明において，粉体分割枠８を直線往復移動させる代わりに，粉体分割枠８をエンドレスベルトに支持してループ状に移動可能とし，粉体分割枠８の仕切マス１０のうち，例えば，Ｖ形樋状ホッパー１の右端（第１図）よりも右方に位置するもの，すなわち，Ｖ形樋状ホッパー１から落下する粉体を受け止める位置にないものを円弧部分ないし円弧部分から折り返したところに位置させるようにすること，すなわち相違点４は，引用例２を参酌することにより，当業者が容易に想到し得たことである。なお，Ｖ枡から落下させた薬剤がこぼれ落ちないようにすることは，薬剤を定量ずつ分割包装するものである以上，当然なすべき事項に過ぎない。
　以上のことから，本願発明は，引用例１及び引用例２に基づいて，当業者が容易に発明できたものである。
　
４．むすび
　以上のとおり，本願発明は，引用例１及び引用例２に基づいて，当業者が容易に発明できたものであって，特許法第２９条第２項の規定により特許を受けることができないから，本願の他の請求項に係る発明について検討するまでもなく，本願は拒絶されるべきものである。
　したがって，原査定は妥当であり，結論のとおり審決する。